(57)【要約】【課題】看板型照明装置の明るさ等の特性を適正に設定する。【解決手段】本看板型照明装置は、表示物の背面に光を照射する光照射部と、設定値に従って光照射部を制御する制御部と、上記設定値を調整するための調整部と、上記制御部の指示を受けて上記設定値を示す信号を外部に出力する設定値出力部とを備える。【選択図】図１
2014192057.tif 000002
【特許請求の範囲】
【請求項１】
表示物の背面に光を照射する光照射部と、設定値に従って光照射部を制御する制御部と、上記設定値を調整するための調整部と、上記制御部の指示を受けて上記設定値を示す信号を外部に出力する設定値出力部とを備えることを特徴とする看板型照明装置。
【請求項２】
上記設定値出力部に発光素子が設けられ、上記信号は該発光素子の発光パターンにより出力されることを特徴とする請求項１記載の看板型照明装置。
【請求項３】
上記制御部は、上記設定値に応じたパルス幅調整信号によって光照射部を制御するとともに、該パルス幅調整信号と共通の周波数をもつ変調信号によって上記設定値出力部を制御することを特徴とする請求項２記載の看板型照明装置。
【請求項４】
上記制御部は、ユーザから入力された設定値に従って光照射部を制御する請求項１記載の看板型照明装置。
【請求項５】
上記発光素子は、可視光または赤外光を発する発光ダイオードであることを特徴とする請求項２記載の看板型照明装置。
【発明の詳細な説明】
【技術分野】
【０００１】
本発明は、看板型照明装置に関する。
【背景技術】
【０００２】
ポスターなどをその背面から照らす看板型照明装置が提案されている。この看板型照明装置には一般的に明るさ等に関する設定値を表示する手段がなく、明るさ等の設定は、調整手段を手動で操作しながら目視により行っている。なお、特許文献１には、誘導灯の明るさをセンサによって検知し、その検知結果に応じて発光素子を駆動することで、誘導灯の明るさが基準値を下回らないようにする技術が開示されている。（特許文献１参照）。
【先行技術文献】
【特許文献】
【０００３】
【特許文献１】日本国公開特許公報「特開２０１１−２９０３３号」公報（２０１１年２月１０日公開）
【発明の概要】
【発明が解決しようとする課題】
【０００４】
上記のように目視により明るさ等の設定を行う場合、目視ゆえの曖昧さが避けられず、例えば複数の看板型照明装置の明るさを精度よく均一化することが難しい。また、特許文献１のようなセンサを設けても、看板型照明装置は外光（環境光）の影響を受けることが多く、適正な設定ができないおそれがある。
【０００５】
本発明の目的は、看板型照明装置の明るさ等の特性を適正に設定することである。
【課題を解決するための手段】
【０００６】
本看板型照明装置は、表示物の背面に光を照射する光照射部と、設定値に従って光照射部を制御する制御部と、上記設定値を調整するための調整部と、上記制御部の指示を受けて上記設定値を示す信号を外部に出力する設定値出力部とを備えることを特徴とする。
【０００７】
上記構成によれば、光照射部の制御にかかる設定値の調整および認識が可能となる。よって、上記設定値を看板型照明装置の特性（明るさ等）に関するものとすることで、ユーザはこの特性を適正に設定することができる。
【発明の効果】
【０００８】
本発明の一態様によれば、看板型照明装置の明るさ等の特性を適正に設定することができる。
【図面の簡単な説明】
【０００９】
【図１】実施の形態１の看板型照明装置を示すブロック図である。
【図２】図１の看板型照明装置を示す模式図である。
【図３】図１の看板型照明装置の動作を示すフローチャートである。
【図４】発信ＬＥＤの点滅パターンの一例である。
【図５】ユーザの設定値認識手法の一例を示す模式図である。
【図６】ユーザの設定値認識手法の別例を示す模式図である。
【図７】実施の形態２の看板型照明装置を示すブロック図である。
【図８】実施の形態２で用いるパルス幅変調信号の一例を示すタイミングチャートである。
【図９】実施の形態３の看板型照明装置を示すブロック図である。
【図１０】図９の看板型照明装置の動作を示すフローチャートである。
【図１１】各実施の形態の変形例を示す模式図である。
【発明を実施するための形態】
【００１０】
本発明の実施の形態を図１〜図１１に基づいて説明すれば以下のとおりである。
【００１１】
[実施の形態１]
本看板型照明装置１は、図１に示すように、ポスター等の表示物の背面に光を照射する光照射部２、ユーザの入力を受け付けるユーザインターフェース１６、明るさ等に関する設定値に従って光照射部２を制御するプロセッサ（ＣＰＵ）１０、メモリ１１、プロセッサ１０の指示を受けて上記設定値を示す信号を外部に出力する設定値出力部５、およびこれら各部に電源を供給する電源回路１７を備える。
【００１２】
ユーザインターフェース１６には、明るさ調整部（例えば、調整ダイアル）、電源スイッチ等のキースイッチが設けられている。光照射部（バックライトユニット）２はいわゆるエッジライト型であり、一辺または複数辺に並べられた複数のバックライトＬＥＤと、これを駆動するバックライトドライバと、導光板を含む各種光学部材とを備える。設定値出力部５は、上記設定値を示す信号をその点滅パターン（可視光の発光パターン）により出力する発信ＬＥＤと、これを駆動する発信ＬＥＤドライバとを備える。
【００１３】
看板型照明装置１では、図２に示すように、視認側から、透明カーバー板（図示せず）、表示領域３に掲示されたポスター等の表示物、光照射部２の順に配置され、視認側の額縁（表示領域を取り囲む狭い枠部分）に発信ＬＥＤが設けられている。なお、発信ＬＥＤは、看板型照明装置としての機能に悪影響を与えない位置に設けることが望ましい。
【００１４】
看板型照明装置１では、ユーザがユーザインターフェース１６の明るさ調整部を操作する（例えば、調整ダイアルを回す）ことで、明るさ調整が可能である。図１〜３に示すように、プロセッサ１０がユーザによる明るさ調整部の操作開始を検出すると、現在の調整位置に対応する設定値をメモリ１１から読み出し、バックライトドライバを制御する。この設定値とは、例えば、バックライトＬＥＤに流す電流の実効値（電流の時間的積分値）に対応する値である。
【００１５】
ユーザは、明るさ調整部を操作しながら表示領域３の明るさを確認し、所望の明るさになれば操作を中止する。プロセッサ１０がユーザによる明るさ調整部の操作終了を検出すると、最終調整位置に対応する最終設定値をメモリから読み出し、最終設定値に応じてバックライトドライバを制御する。さらに、プロセッサ１０は、最終設定値に応じた変調信号を生成し、これを発信ＬＥＤドライバに送る。発信ＬＥＤドライバは、この変調信号に基づいて発信ＬＥＤを駆動する。これにより、発信ＬＥＤは、例えば図４のように最終設定値を示すパターンにて点滅する（図４はモールス信号準拠の例）。ユーザはこのパターンを目視することで、最終設定値を認識することができる（図５参照）。なお、図６のように、ユーザは、受光装置２０（治具）および情報処理装置３０（例えば、モバイルコンピュータやモバイルフォン等）によって上記変調信号を復調することで最終設定値を認識することもできる。
【００１６】
このように、本看板型照明装置によれば、明るさ調整後の設定値をユーザが正確に把握できる。したがって、複数の看板型照明装置について順次図３〜図５の作業を行えば、これらの明るさを所望のレベルに均一化することも容易となる。また、看板型照明装置１の個体間のばらつきや経年劣化などの評価も可能となる。
【００１７】
バックライトドライバは、ユーザの明るさ調整（ダイアル操作）に応じてバックライトＬＥＤの電流の実効値に対応する値（設定値）を変化させるが、この場合、電流を常時ＯＮとして電流値のレベル自体を変化させてもよいし、電流のＯＮ・ＯＦＦを切り替え（電流ＯＮ時の電流値のレベルは一定とする）、ＯＮ・ＯＦＦの時間的割合（ｄｕｔｙ比）を変えてもよい。
【００１８】
[実施の形態２]
ユーザの明るさ調整（ダイアル操作）に応じて電流のＯＮ・ＯＦＦの時間的割合（ｄｕｔｙ比）を変える場合、図７に示すように、プロセッサ１０で図８（ａ）のようなパルス幅変調信号（ＰＷＭ信号）を生成するが、このＰＷＭ信号の周波数と、発信ＬＥＤドライバを制御する変調信号の周波数とを共通化してもよい。すなわち、図８（ａ）のように、プロセッサ１０がＰＷＭ信号を「ｄｕｔｙ比７５パーセント（１周期Ｔのうち、３Ｔ／４がＯＮで、Ｔ／４がＯＦＦ）」で出力している場合に、同時にプロセッサ１０が、図８（ｂ）に示すように、「７５」を意味する変調信号（ここでは、７５の２進数表記である“１００１０１１”の各桁を、ＰＷＭ信号の周期Ｔに同期させた信号）を発信ＬＥＤドライバに送る。この変調信号に基づいて発信ＬＥＤドライバが発信ＬＥＤを駆動する（例えば、“１”で発信ＬＥＤを点灯させ、“０”で発信ＬＥＤを消灯させる）ことにより、最終設定値がデジタル信号として発信ＬＥＤから発信される。これにより、調光用のＰＷＭ信号と発信ＬＥＤ駆動信号の搬送波周波数を共通化できるので、プロセッサ１０の処理と構成を簡易化することができる。なお、図８では、論理“０”“１”それぞれをＰＷＭ信号の１周期Ｔを使って表現しているが、それぞれを２周期以上を使って表現することにより、情報冗長による誤謬率の低下を図ってもよい。
【００１９】
[実施の形態３]
看板型照明装置１では、図９・１０に示すように、ユーザインターフェース１６に赤外線リモコン受光部を設け、プロセッサ（ＣＰＵ）１０が、外部からの入力設定値に従って光照射部２を制御するような構成とすることもできる。すなわち、ユーザは、赤外線リモコンを用いて所望の設定値をユーザインターフェース１６に入力する。プロセッサ１０がユーザからの入力設定値を検知すると、入力設定値に応じてバックライトドライバを制御し、かつメモリ１１（不揮発性）に入力設定値を格納する。実施の形態３では、複数の看板型照明装置の１つに明るさ調整を行い、その最終設定値を、残りの看板型照明装置の入力設定値とすれば、これらの明るさを所望のレベルに均一化することが一層容易となる。
【００２０】
[各実施の形態について]
上記各実施の形態では、発信ＬＥＤに可視光を発光するＬＥＤを用いているがこれに限定されない。赤外光を発するＬＥＤを用いてもよい。この場合、赤外光は可視光と干渉しないため、発信ＬＥＤを表示部３の内側に設けることも可能となり（図１１参照）、額縁部がとれない場合や看板型照明装置を壁内に埋め込むような場合に好適である。
【００２１】
また、上記各実施の形態では、ユーザインターフェース１６に、色温度調整部を設けてもよい。バックライトＬＥＤが複数色で構成される場合には、これらの混色割合を変えれば色温度を変えることができる。そこで、ある色のバックライトＬＥＤの電流の実効値と、別の色のバックライトＬＥＤの電流の実効値との関係を設定値とし、プロセッサ１０がこの設定値に従って光照射部２を制御し、設定値出力部５がこの設定値を外部に出力するような構成を加えることも可能である。
【００２２】
以上のように、本看板型照明装置は、表示物の背面に光を照射する光照射部と、設定値に従って光照射部を制御する制御部と、上記設定値を調整するための調整部と、上記制御部の指示を受けて上記設定値を示す信号を外部に出力する設定値出力部とを備えることを特徴とする。
【００２３】
本看板型照明装置では、上記設定値出力部に発光素子が設けられ、上記信号は該発光素子の発光パターンにより出力される構成とすることもできる。
【００２４】
本看板型照明装置では、上記制御部は、上記設定値に応じたパルス幅調整信号（ＰＷＭ信号）によって光照射部を制御するとともに、該パルス幅調整信号と共通の周波数をもつ変調信号によって上記設定値出力部を制御する構成とすることもできる。
【００２５】
本看板型照明装置では、上記制御部が、ユーザから入力された設定値に従って光照射部を制御する構成とすることもできる。
【００２６】
本看板型照明装置では、上記発光素子は、可視光または赤外光を発する発光ダイオードである構成とすることもできる。
【産業上の利用可能性】
【００２７】
本発明は、看板型照明装置に好適である。
【符号の説明】
【００２８】
１  看板型照明装置
２  光照射部（バックライトユニット）
３  表示領域
５  設定値出力部
１０  プロセッサ
１１  メモリ
１６  ユーザインタフェース
２０  受信装置
３０  情報処理装置
【図１】
2014192057.tif 000003
【図２】
2014192057.tif 000004
【図３】
2014192057.tif 000005
【図４】
2014192057.tif 000006
【図５】
2014192057.tif 000007
【図６】
2014192057.tif 000008
【図７】
2014192057.tif 000009
【図８】
2014192057.tif 000010
【図９】
2014192057.tif 000011
【図１０】
2014192057.tif 000012
【図１１】
2014192057.tif 000013